(57)【要約】【課題】ネットワークから、ユーザ個人の趣向に合った情報を取得して、この情報を解釈し、さらにユーザの趣向に合った情報に加工して音声により提供することができる携帯端末装置及び情報検索提供方法を提供する【解決手段】ユーザの趣向と関連する趣向情報を抽出するステップと、ネットワークより、抽出した趣向情報を基にサイトを検索し該サイトが提供する情報を読み出すステップと、サイトから読み出した情報から、趣向情報を基にキーワードを抽出するステップと、抽出したキーワードを基にユーザの趣向を満たすための情報を表す語句を生成するステップと、前ステップで生成した語句を音声データに変換するステップと、変換された音声データを基に音声を発音するステップと、を含む。【選択図】        図３
2004234095.tif 000002
【特許請求の範囲】
【請求項１】
ユーザの趣向と関連する趣向情報を抽出する趣向情報抽出手段と、
ネットワークより前記趣向情報を基にサイトを検索または参照し、該サイトが提供する情報を読み出すサイト検索手段と、
前記サイトから読み出した情報から、前記趣向情報を基にキーワードを抽出するキーワード抽出手段と、
前記キーワードを基にユーザの趣向を満たすための情報を表す語句を生成する語句生成手段と、
前記語句生成手段が生成した語句を音声データに変換する音声データ生成手段と、
前記音声データを基に音声を発音する音声発音手段とを具備する
ことを特徴とする携帯端末装置。
【請求項２】
前記趣向情報抽出手段は、
サイトのアドレスが登録されるブックマークまたはサイトの閲覧履歴から前記趣向情報の抽出を行う
ことを特徴とする請求項１に記載の携帯端末装置。
【請求項３】
前記趣向情報抽出手段は、
ユーザの記述によるメール文または受信した受信メール文から前記趣向情報の抽出を行う
ことを特徴とする請求項１に記載の携帯端末装置。
【請求項４】
前記趣向情報抽出手段は、
ユーザが入力したデータを趣向情報とする
ことを特徴とする請求項１に記載の携帯端末装置。
【請求項５】
前記携帯端末装置上に設定されるマスコットキャラクタ毎に、該マスコットキャラクタの少なくとも口調を規定する語彙データベースをさらに持ち、
音声データ生成手段は、
前記語彙データベースを基に前記変換を行う
ことを特徴とする請求項１から請求項４のいずれかに記載の携帯端末装置。
【請求項６】
前記音声データ生成手段は、
前記音声発音手段にて音声を発音する際の音程のデータを付加した音声データを生成する
ことを特徴とする請求項１から請求項５のいずれかに記載の携帯端末装置。
【請求項７】
コンピュータシステムにより実行される方法であって、
ユーザの趣向と関連する趣向情報を抽出するステップと、
ネットワークより前記趣向情報を基にサイトを検索し該サイトが提供する情報を読み出すステップと、
前記サイトから読み出した情報から、前記趣向情報を基にキーワードを抽出するステップと、
前記キーワードを基にユーザの趣向を満たすための情報を表す語句を生成するステップと、
前ステップで生成した語句を音声データに変換するステップと、
前記音声データを基に音声を発音させるステップと、を含む
ことを特徴とする情報検索提供方法。
【発明の詳細な説明】
【０００１】
【発明の属する技術分野】
本発明は、ネットワークから情報を取得し、取得した情報を解釈して、ユーザに伝える携帯端末装置及び情報検索提供方法に関する。
【０００２】
【従来の技術】
例えば、特許文献１には、マスコットキャラクタを介してユーザと対話型の情報交換を行う情報検索システムの発明が開示されている。この特許文献１に記載の技術は、ユーザが、ユーザインターフェース部をもつパーソナルコンピュータからネットワークを介して情報検索システムに接続し、この情報検索システムが、その検索結果に、登録されたユーザ情報を反映させ、さらに助言を付加し、ユーザインターフェース部に実現されるマスコットキャラクタを介してユーザに提供する、というものである。このようにマスコットキャラクタを介して情報を提供するので、パーソナルコンピュータに不慣れな初心者でも親しみをもって操作できるものとなっている。
【０００３】
【特許文献１】
特開２００１−２２２５３８号公報
【０００４】
【発明が解決しようとする課題】
しかし、上記特許文献１に記載の発明では、定型的に登録されるユーザ情報に基づき、ネットワーク上の情報の検索が行われるので、ユーザの趣向に関しては登録時のデータに基づくだけで、多様かつさらに流動的とも言える個人の趣向に合った情報が必ずしもタイムリーに検索されるわけではない。また、ユーザに対する情報の提供方法も、マスコットキャラクタを介するものの、取得した情報をそのままあるいはさらに助言を付加して画面表示するだけで、ユーザの趣向に応じて情報を解釈し、新たにユーザの趣向に応じた語句を生成して、さらに音声によりユーザに提供するものではない。
【０００５】
本発明は、上記の点に鑑みてなされたもので、ネットワークから、ユーザ個人の趣向に合った情報を取得して、この情報を解釈し、さらにユーザの趣向に合った情報に加工して音声により提供することができる携帯端末装置及び情報検索提供方法を提供するものである。
【０００６】
【課題を解決するための手段】
請求項１に記載の発明の携帯端末装置は、ユーザの趣向と関連する趣向情報を抽出する趣向情報抽出手段と、ネットワークより前記趣向情報を基にサイトを検索または参照し、該サイトが提供する情報を読み出すサイト検索手段と、前記サイトから読み出した情報から、前記趣向情報を基にキーワードを抽出するキーワード抽出手段と、前記キーワードを基にユーザの趣向を満たすための情報を表す語句を生成する語句生成手段と、前記語句生成手段が生成した語句を音声データに変換する音声データ生成手段と、前記音声データを基に音声を発音する音声発音手段とを具備することを特徴としている。
【０００７】
また、請求項２に記載の発明は、請求項１に記載の携帯端末装置において、前記趣向情報抽出手段は、サイトのアドレスが登録されるブックマークまたはサイトの閲覧履歴から前記趣向情報の抽出を行うことを特徴としている。
【０００８】
また、請求項３に記載の発明は、請求項１に記載の携帯端末装置において、前記趣向情報抽出手段は、ユーザの記述によるメール文または受信した受信メール文から前記趣向情報の抽出を行うことを特徴としている。
【０００９】
また、請求項４に記載の発明は、請求項１に記載の携帯端末装置において、前記趣向情報抽出手段は、ユーザが入力したデータを趣向情報とすることを特徴としている。
【００１０】
また、請求項５に記載の発明は、請求項１から請求項４のいずれかに記載の携帯端末装置において、前記携帯端末装置上に設定されるマスコットキャラクタ毎に、該マスコットキャラクタの少なくとも口調を規定する語彙データベースをさらに持ち、音声データ生成手段は、前記語彙データベースを基に前記変換を行うことを特徴としている。
【００１１】
また、請求項６に記載の発明は、請求項１から請求項５のいずれかに記載の携帯端末装置において、前記音声データ生成手段は、前記音声発音手段にて音声を発音する際の音程のデータを付加した音声データを生成することを特徴としている。
【００１２】
また、請求項７に記載の発明の情報検索提供方法は、コンピュータシステムにより実行される方法であって、ユーザの趣向と関連する趣向情報を抽出するステップと、ネットワークより前記趣向情報を基にサイトを検索し該サイトが提供する情報を読み出すステップと、前記サイトから読み出した情報から、前記趣向情報を基にキーワードを抽出するステップと、前記キーワードを基にユーザの趣向を満たすための情報を表す語句を生成するステップと、前ステップで生成した語句を音声データに変換するステップと、前記音声データを基に音声を発音させるステップと、を含むことを特徴としている。
【００１３】
本発明では、趣向情報抽出手段が、ユーザの趣向と関連する趣向情報を抽出し、サイト検索手段が、ネットワークより趣向情報を基にサイトを検索または参照して、該サイトが提供する情報を読み出す。そして、キーワード抽出手段が、サイトから読み出した情報から、趣向情報を基にキーワードを抽出すると、語句生成手段が、このキーワードを基にユーザの趣向を満たすための情報を表す語句を生成する。ここで生成されたユーザの趣向を満たすための情報を表す語句は、音声データ生成手段により音声データに変換され、音声発音手段が、この音声データを基に音声を発音する。
【００１４】
なお、趣向情報抽出手段は、請求項２に記載の発明にあっては、サイトのアドレスが登録されるブックマークまたはサイトの閲覧履歴から前記趣向情報の抽出を行い、請求項３に記載の発明にあっては、ユーザの記述によるメール文または受信した受信メール文から前記趣向情報の抽出を行い、請求項４に記載の発明にあっては、ユーザが入力したデータを趣向情報とする。
このようにして、得られた趣向情報を基に、ユーザの趣向を満たすための情報を表す語句が生成され、それが音声化されるので、ユーザは、手間をかけずに、自身の趣向に合った興味のある情報を音声により受けることができる。
【００１５】
また、請求項５に記載の発明にあっては、前記携帯端末装置上に設定されるマスコットキャラクタ毎に、該マスコットキャラクタの少なくとも口調を規定する語彙データベースをさらに持ち、音声データ生成手段が、この語彙データベースを基に、語句生成手段が生成した語句の音声データへの変換を行う。これにより、マスコットキャラクタが、それぞれの音声（例えば、それぞれの口調等）で発音をし、面白く、ユーザフレンドリーなものとなる。
また、請求項６に記載の発明にあっては、音声データ生成手段が、音声発音手段にて音声を発音する際の音程のデータを付加した音声データを生成する。これにより、発音される音声に音程の変化を与えることが可能となり、例えば、鼻歌のような発音をさせることも可能となって、さらにユーザフレンドリーなものとなる。
【００１６】
【発明の実施の形態】
以下、本発明の実施の形態を、図面を参照して説明する。
図１は、本発明の携帯端末装置の一実施の形態である携帯電話機の概略構成を示すブロック図である。なお、本発明の携帯端末装置は、携帯電話機に限らず、ＰＨＳ（登録商標）（Ｐｅｒｓｏｎａｌ  ｈａｎｄｙｐｈｏｎｅ  ｓｙｓｔｅｍ）や、無線によりネットワークに接続可能な携帯情報端末を利用し構成してもよい。
【００１７】
図１において、符号１１は、ＣＰＵ（中央処理装置）であり、各種制御プログラムを実行することにより携帯端末装置１の各部の動作を制御する。
符号１２は、通信部であり、この通信部１２に備わるアンテナ１２ａで受信された信号の復調を行うとともに、送信する信号を変調してアンテナ１２ａに供給している。
上記ＣＰＵ・１１は、通信部１２で復調されたインターネット等のネットワークからの信号を、所定のプロトコルに従って復号化をし、この信号に含まれる情報またはこの情報をユーザの趣向に合うように加工した情報（後述）とマスコットキャラクタの画像を下記の表示部２１に表示させるとともに、下記の音声合成機能付音源部１６に音声合成させる。また、アクセス先のサイトに送信するデータは、ＣＰＵ・１１により所定のプロトコルによる符号化が行われ、通信部１２にて変調された後、アクセス先のサイトに向け、アンテナ１２ａから基地局に送信される。
【００１８】
符号１３は、音声処理部である。通信部１２で復調された電話回線の信号は、この音声処理部１３において復号され、スピーカ１４から出力される。一方、マイク１５から入力された音声信号はデジタル化され音声処理部１３において圧縮符号化される。そして、通信部１２にて変調されアンテナ１２ａから携帯電話網の基地局へ出力される。音声処理部１３は、例えばＣＥＬＰ（Ｃｏｄｅ  Ｅｘｃｉｔｅｄ  ＬＰＣ）系やＡＤＰＣＭ（適応差分ＰＣＭ符号化）方式により、音声データを高能率圧縮符号化／復号化している。
【００１９】
符号１６は、音声合成機能付音源部であり、着信音として選択された楽曲データを再生しスピーカ１７から放音する。また、ユーザの趣向に合った情報（またはユーザの趣向に合うように加工された情報）からなる音声データおよび所要のパラメータを受けた場合には（以下、音声データは、所要のパラメータを含むものとする）、これを音声合成してスピーカ１７から発音（発声）する。この音声合成機能付音源部１６による音声合成は、例えば、特公昭５８−５３３５１号公報に開示されたＣＳＭ音声合成の技術をＦＭ音源に適用することで実現できる。
また、符号１８は、操作部であり、携帯電話機１の本体に設けられた英数字のボタンを含む各種ボタン（図示せず）やその他の入力デバイスからの入力を検知する入力手段である。
【００２０】
符号１９は、ＲＡＭ（Ｒａｎｄｏｍ  Ａｃｃｅｓｓ  Ｍｅｍｏｒｙ）であり、ＣＰＵ・１１のワークエリアや、ダウンロードされた楽曲データや伴奏データの格納エリアや、受信した電子メールのデータが格納されるメールデータ格納エリアや、サイトからダウンロードした情報やこの情報を加工したデータを格納する格納エリア、さらにサイトのアドレスを登録するブックマークを格納する格納エリアや、閲覧したサイトのアドレスやそのタイトル等のデータからなるサイトの閲覧履歴を格納する格納エリア等がさらに設定され、また後述するユーザ趣向情報データベースが格納されている。
【００２１】
符号２０は、ＲＯＭ（Ｒｅａｄ  Ｏｎｌｙ  Ｍｅｍｏｒｙ）である。このＲＯＭ・２０は、ＣＰＵ・１１が実行する、発信・着信等の制御をする各種電話機能プログラムや楽曲再生処理を補助するプログラムや、電子メールの送受信を制御するメール送受信機能プログラムの他、インターネット等のネットワークに接続するためのプログラムおよびそのための情報や、ユーザの趣向に関連する趣向情報をユーザ趣向情報データベースに登録するプログラムや、このユーザ趣向情報データベースを基に、ネットワークからユーザの趣向に合う情報を取得して、これを解釈しユーザの趣向を満たすための情報を表す語句に加工するプログラムや、音声合成処理を補助するプログラム等の各種プログラムと、さらに下記の表示部２１に表示させるマスコットキャラクタのＣＧ（Ｃｏｍｐｕｔｅｒ  Ｇｒａｐｈｉｃｓ）データや、後述する日本語辞書データベース、およびマスコットキャラクタの口調を規定する語句や、その声を音声合成する際の音量・音程等を規定するパラメータ（所要のパラメータ）のデータを含む語彙データベース等の各種データが格納されている。
【００２２】
また、表示部２１は、ＬＣＤ（Ｌｉｑｕｉｄ  Ｃｒｙｓｔａｌ  Ｄｉｓｐｌａｙ）等からなり、ＣＰＵ・１１の制御により、メニュー等の表示や、サイトからダウンロードした情報や、マスコットキャラクタの画像およびユーザの趣向に合うように加工された情報等の表示や、操作部１８の操作に応じた表示をする表示器である。
符号２２は、着信時に着信音に代えて携帯電話機１の本体を振動させることにより、着信をユーザに知らせたり、後述のようにユーザに情報検索を打診する際に振動を与えるバイブレータである。
なお、各機能ブロックはバス３０を介してデータや命令の授受を行っている。
本実施の形態における携帯電話機１は、以上のように構成される。
【００２３】
本実施の形態の携帯電話機１は、ネットワーク上のサイトからユーザの趣向に合った情報を取得し、この情報を解釈してユーザの趣向を満たすための情報を表す語句に加工して伝えることを特徴とするものである。このため必要となるユーザの趣向に関連する趣向情報の抽出とその保存について、ここで説明する。
本実施の形態では、以下の３種の方法によりＣＰＵ・１１が趣向情報を抽出するかその入力を受け、ユーザ趣向情報データベースに登録する（図２参照）。
【００２４】
▲１▼ユーザが作成したメール文あるいは受信したメール文に含まれる文字列から日本語辞書データベースに登録されている単語を抽出し、さらに頻出する単語を趣向情報としてユーザ趣向情報データベースへ登録する。
▲２▼ユーザのサイト閲覧履歴から閲覧数の多いサイトについてそのアドレス（ＩＰアドレスまたはＵＲＬ（Ｕｎｉｆｏｒｍ  Ｒｅｓｏｕｒｃｅ  Ｌｏｃａｔｏｒ）とそのタイトルをユーザ趣向情報データベースに登録する。
▲３▼ユーザ自身が興味ある事柄の単語や文字列やサイトのアドレスを直接入力し、ユーザ趣向情報データベースに登録する。
【００２５】
ここでさらに、上記ユーザ趣向情報データベース、ならびに、日本語辞書データベースおよび語彙データベースについて詳述する。
ユーザ趣向情報データベースには、上記のように、趣向情報としてユーザの趣向と関連する単語・文字列またはサイトのアドレスやそのタイトルが適宜登録される。なお、このユーザ趣向情報データベースに登録される趣向情報は、その情報が頻出する程度に応じた重み付けをもって登録される。例えば、出現したあるいは入力された頻度を当該趣向情報の重みとして、当該趣向情報と対応付け登録するようにする。こうすることで、この重みに応じて趣向情報の選択の際の優先順位をつけることができる。
【００２６】
日本語辞書データベースは、ジャンル別に関連する単語が登録され、さらに単語毎に関連する発音パターンとなる文（または語句）が登録されている。例えば、「天気」というジャンルには、「晴れ」、「曇り」、「雨」、…等の単語が登録され、さらに単語「雨」には、発音パターンとなる文として「傘を持って行きなさい」等が登録されている。また、各ジャンルには、携帯端末装置１がユーザに情報検索を打診する際に発音する発音パターンとなる語句が登録されている。また、その発音パターンとなる語句は趣向情報データベースに登録されている単語・文字列またはサイトのタイトルなどに付加されて情報検索打診のための発音パターンの文となる。例えば、ジャンル「天気」には「見る？」という（情報検索を打診する際に発音する）発音パターンとなる語句が登録されており、趣向情報データベースに登録されているサイトのタイトル「明日の静岡県の天気予報」が選択された場合には、これに「見る？」が付加された「明日の静岡県の天気予報見る？」が、ユーザに情報検索を打診する際の発音パターンの文となる。
【００２７】
語彙データベースには、マスコットキャラクタ毎に割り当てられた、それぞれの性格に合った表現を有する文（または語句）が、上記日本語辞書データベースに登録された発音パターンとなる文（または語句）と対応づけられ登録されている。例えば、「行きなさい」（または「傘を持って行きなさい」）に対し、あるマスコットキャラクタに対して、「いこうよ」（または「傘を持っていこうよ」）が対応づけられ登録される。また、この語彙データベースには、さらに、マスコットキャラクタ毎に、文（または語句）を発音させる際の音程・音量等を規定し音声合成機能付音源部１６に与えるパラメータが登録されている。また、その発音パターンとなる文が例えば歌として発音すべきものであれば、予めその歌に対応した音程・音量等が付加されて登録されている。
【００２８】
次に、このように構成された本実施形態の携帯電話機１の動作について、図３のフローチャートを用いて説明する。なお、通常の電話機能による発信・着信時の動作やメールの送受信やインターネット上のサイトへのアクセス等に係る動作については、周知の技術でありその説明は省略する。また、ユーザの趣向に関連する趣向情報は、既にユーザ趣向情報データベースに登録されているものとする。
【００２９】
はじめに、ランダムに発生させるトリガ信号が発生したか否か判断する（ステップＳ０１）。
この判断で、Ｙｅｓ、すなわちトリガ信号有りと判定されるとステップＳ０２に移る。一方、この判断で、Ｎｏ、すなわちトリガ信号無しと判定されると、ステップＳ０３に移る。
ステップＳ０３では、ユーザによる（ユーザの操作による）トリガ信号が発生したか否か判断する。この判断で、Ｙｅｓ、すなわちユーザによるトリガ信号有りと判定されると、ステップＳ０２に移る。一方、この判断で、Ｎｏ、すなわちユーザによるトリガ信号無しと判定されると、ステップＳ０１に戻る。
【００３０】
ここで、上記ステップＳ０２またはステップＳ０３の判断により、ステップＳ０２に移ると、ステップＳ０２では、前述のユーザ趣向情報データベースから単語・文字列またはサイトのアドレスとそのタイトルといった趣向情報をその重みに応じて選択し、これを表示部２１に表示するとともに（このとき、さらにバイブレータ２２を振動させてもよい）、この趣向情報またはその趣向情報に日本語辞書データベース（各ジャンル毎）に登録されている発音パターンとなる語句を付加させた文を音声合成により発声し、ユーザに情報検索を打診する。ここでの趣向情報の選択は、例えば、ユーザ趣向情報データベースにおいて、最も重み付けが大きい趣向情報から順に選択する。
次に、ステップＳ０４の判断で、ユーザによる操作部１８の操作を受け、情報検索を肯定（Ｙｅｓ）する操作がなされると、回答はＹｅｓと判定しステップＳ０５に移り、一方、情報検索を否定（Ｎｏ）する操作がなされると回答はＮｏと判定してステップＳ０１に戻る。
【００３１】
ここで、ユーザにより情報検索を肯定（Ｙｅｓ）する操作がなされたとすると、ステップＳ０５に移り、ステップＳ０５では、提示した単語や文字列（またはサイトのアドレス）からサイト検索を実行する。単語や文字列による場合は、いわゆる検索エンジンを利用して関連するサイトのアドレスを取得する。サイトのアドレスによる場合は、このアドレスをそのまま用いるので、次のステップＳ０６に移る。
【００３２】
次に、ステップＳ０６では、ステップＳ０５にて検索したサイトにアクセスし、このサイトが提供する情報をダウンロードする。
そして、次のステップＳ０７では、ダウンロードした情報から、日本語辞書データベースにおける上記単語や文字列（または、サイトのタイトル）が属する特定のジャンルの語句（複数の場合もある）を抽出（ピックアップ）する。以下では、ここで抽出された語句をサイト内情報のキーワードと称す。
【００３３】
次に、上記サイト内情報のキーワードが、サイトからダウンロードした情報から抽出できたか否か判断する（ステップＳ０８）。
この判断で、Ｙｅｓ、すなわちサイト内情報のキーワードの抽出ができた（ピックアップ成功）と判定されると、ステップＳ０９に移り、一方、この判断で、Ｎｏ、すなわちサイト内情報のキーワードの抽出ができなかったと判定されると、ステップＳ１０に移る。
ステップＳ０９では、日本語辞書データベースにおける該当ジャンルから、発音すべき発音パターンの文を決定する。ここでは、例えば、ステップＳ０７で抽出された語句（単語）で出現頻度の高い語句に対応する発音パターンの文を選択する。一方、ステップＳ１０では、サイト内情報のキーワードが抽出できていないので、アクセスしたサイト内に記述されたテキストすべてを発音する文（発音パターンの文）として決定する。
【００３４】
そして、ステップＳ１１では、上記で決定された発音パターンの文を、前述のように該当マスコットキャラクタに応じた口調の文に変換するとともに、対応する音量・音程等のパラメータを付加した音声データを作成して音声合成機能付音源部１６に供給する。
ステップＳ１２では、音声合成機能付音源部１６が、供給された音声データを基に音声合成を行いスピーカ１７から発音する。このとき、ＣＰＵ・１１の制御により表示部２１にマスコットキャラクタとステップＳ１１にて変換された文が表示される。
なお、上記で説明した動作フローは一例であり、上記の処理の流れに限定されるものではない。例えば、ステップＳ０８において、Ｎｏ（サイト内情報のキーワードの抽出ができなかった）と判定された場合は別のサイトにアクセスして同様のピックアップ処理を行い、予め設定された回数同様の処理を繰り返してもピックアップに成功しなかった場合にステップＳ１０に移るようにしてもよい。
【００３５】
ここで、上記携帯電話機１の動作の具体的例を挙げ説明する。
［実施例１］
ユーザ趣向情報データベースに、サイトのアドレスとそのタイトルが「明日の静岡県の天気予報」である趣向情報が登録されており、このタイトルが選択された場合、「明日の静岡県の天気予報見る？」と発音し、ユーザに情報検索を打診する。
これに応じてユーザよりＹｅｓの回答の入力を受けると、タイトルが「明日の静岡県の天気予報」であるサイトにアクセスし、このサイトが提供する情報を読み出す。このとき読み出した情報が、
明日の静岡県の天気予報
雨  降水確率７０％
であるとすると、ジャンル分けされた日本語辞書データベース（図４参照）から、サイト内情報のキーワードとして、「天気」を抽出し、さらにこの「天気」のジャンルに含まれる語句で、さらに、登録されたキーワード「雨」をキーワードとして、この「雨」に対応づけられ登録されている「傘を持って行きなさい」の発音パターンを得る。
そして、語彙データベースから、「傘を持って行きなさい」の発音パターンを、使用するマスコットキャラクタに規定された言葉に変換する。例えば、あるマスコットキャラクタにおいては「傘を持って行きなさい」の発音パターンは、「傘を持っていこうよ」に変換され、「傘を持っていこうよ」と発音される。また、別のマスコットキャラクタにおいては、例えば「傘を持って行けよ」などと変換されて発音する。
【００３６】
［実施例２］
この例は、趣向情報として「占い」が選択された場合で、例えば「占い知りたい？」などと情報検索の打診をする。
これに応じてユーザよりＹｅｓの回答の入力を受けると、「占い」を検索キーワードにしてサイトを検索する。このとき、いわゆる検索エンジンを利用してサイトの検索を行う。そして、ヒットしたサイトの内の一つにアクセスし、そのサイトが提供する情報を読み出す。
【００３７】
そして、ジャンル分けされた日本語辞書データベース（図５参照）に登録された語句を基にサイト内の言葉をピックアップする。このとき「占い」のジャンルに含まれる「ラッキーカラー」がピックアップされた場合、日本語辞書データベースに登録された「ラッキーカラー」に対応して登録された発音パターンの文「ラッキーカラーは“色”です」を得る。この発音パターン文に含まれる“色”は選択可能であり、この“色”に対し、「青」、「赤」、「ピンク」…が登録されている。この“色”の項目一覧を基にサイト内情報を検索し、語句「ピンク」を検出すると、この“色”に該当すると認識し、「ラッキーカラーはピンクです」の発音パターンを得る。
【００３８】
そして、語彙データベースから、「ラッキーカラーはピンクです」の発音パターンを、当該マスコットキャラクタに規定された言葉に変換し、「ラッキーカラーはピンクだよ」などと発音する。
なお、上記各実施例では、各データベースを基に発音パターンの文を得ているが、このように発音パターンの文を得ることができない場合は、前述のようにサイト内のテキストをそのまま音声出力する。
【００３９】
以上、この発明の実施形態を、図面を参照して詳述してきたが、具体的な構成はこの実施形態に限られるものではなく、この発明の要旨を逸脱しない範囲の構成等も含まれる。例えば、上記実施の形態におけるステップＳ０１〜Ｓ１１の処理を、ネットワーク上のホストコンピュータで行う形態、すなわち、ネットワーク上のホストコンピュータと、これにアクセス可能な携帯端末装置とで本発明を実現してもよい。この場合、上記実施の形態で携帯端末装置側に記憶されるユーザ趣向情報データベースや、日本語辞書データベース、語彙データベース等のデータはホストコンピュータ側に記憶され、ユーザ趣向情報データベースは、ユーザ毎にその趣向情報が登録される。そして、ホストコンピュータと携帯端末装置間では、一方で処理され他方で必要となる処理の結果（あるいは一方から他方に発せられる信号または情報）は、通信により一方から他方に与えられる。最終の処理の結果である、マスコットキャラクタに応じた音声データはホストコンピュータから携帯端末装置に与えられ、この携帯端末装置にて音声合成により発音される。
【００４０】
また、本発明は、図３に示す動作フローまたはこの動作フローと同様の処理機能を実現するためのプログラムをコンピュータ読み取り可能な記録媒体に記録して、この記録媒体に記録されたプログラムをコンピュータシステムに読み込ませ、実行することにより実現してもよい。なお、ここでいう「コンピュータシステム」とは、ＯＳや周辺機器等のハードウェアを含むものとする。
【００４１】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００４２】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００４３】
【発明の効果】
以上、詳細に説明したように、本発明によれば、抽出された趣向情報を基に、ユーザの趣向を満たすための情報を表す語句が生成され、それが音声化されるので、ユーザは、手間をかけずに、自身の趣向に合った興味のある情報を音声により受けることができる。
また、本発明によれば、画面に表示されるマスコットキャラクタ毎に、該マスコットキャラクタの少なくとも口調を規定する語彙データベースをさらに持ち、音声データ生成手段が、語彙データベースを基に語句生成手段が生成した語句の音声データへの変換を行うことにより、画面に表示されたマスコットキャラクタが、それぞれの音声（例えば、それぞれの口調等）で発音をし、面白く、ユーザフレンドリーなものとなる。
また、本発明によれば、音声データ生成手段が、音声発音手段にて音声を発音する際の音程のデータを付加した音声データを生成することにより、発音される音声に音程の変化を与えることが可能となり、例えば、鼻歌のような発音をさせることも可能となって、さらにユーザフレンドリーなものとなる。
【図面の簡単な説明】
【図１】本発明の携帯端末装置の一実施の形態である携帯電話機の概略構成を示すブロック図である。
【図２】同実施の形態において、ユーザの趣向に関連する趣向情報の抽出とその保存について説明する図である。
【図３】同実施の形態の携帯電話機の動作を説明するフローチャートである。
【図４】実施例１を説明するための日本語辞書データベースの内容例である。
【図５】実施例２を説明するための日本語辞書データベースの内容例である。
【符号の説明】
１…携帯電話機（携帯端末装置）、１１…ＣＰＵ、１２…通信部、１２ａ…アンテナ、１３…音声処理部、１４，１７…スピーカ、１５…マイク、１６…音声合成機能付音源、１８…操作部、１９…ＲＡＭ、２０…ＲＯＭ、２１…表示部、２２…バイブレータ、３０…バス
【図１】
2004234095.tif 000003
【図２】
2004234095.tif 000004
【図３】
2004234095.tif 000005
【図４】
2004234095.tif 000006
【図５】
2004234095.tif 000007